(57)【要約】【課題】  駅伝、マラソンなどのレースにおいて沿道の観戦者にレース情報を提供する。【解決手段】  ランナーにＧＰＳ端末を取り付ける。ランナーが走行中、ＧＰＳ端末から位置情報がサーバに送られる。サーバは、受信した位置情報を用いて、各々のランナーの位置、順位、タイムなどを含むレース情報を生成する。レース情報は、予めレース情報のサービスに登録したユーザの携帯電話にプッシュ配信される。サーバは更に、ユーザの位置を携帯電話のＧＰＳ機能等を用いて収集する。サーバは、ユーザの位置に応じたローカル情報、例えばあるユーザがいる場所にあるランナーが何分後に到着するかという予想時刻を作成して送信する。【選択図】図１
2006271611.tif 000002
【特許請求の範囲】
【請求項１】
ＧＰＳ（Ｇｌｏｂａｌ  Ｐｏｓｉｔｉｏｎｉｎｇ  Ｓｙｓｔｅｍ）受信部と前記ＧＰＳ受信部により得られる位置情報を無線通信回線を介して送信する通信部とを備え、複数の競技者に取り付けられる競技者端末と、
前記競技者端末から受信した前記位置情報を用いてレース情報を生成し、公衆通信回線を介して無線で観戦者端末に送信するサーバ
とを具備する
レース情報システム。
【請求項２】
請求項１に記載されたレース情報システムであって、
前記サーバは前記観戦者端末の位置を示す観戦者位置情報を取得し、前記観戦者位置情報を用いて前記レース情報を加工して前記観戦者端末に送信する
レース情報システム。
【請求項３】
複数の競技者の各々に取り付けられ、前記複数の競技者の各々を個別に特定するＩＤ情報を記憶するＩＣタグと、
前記ＩＣタグから読み取った前記ＩＤ情報を含む位置情報を生成して送信するＲＦＩＤ固定器と、
前記ＲＦＩＤ固定器から受信した前記位置情報を用いてレース情報を生成し、公衆通信回線を介して無線で観戦者端末に送信するサーバ
とを具備し、
前記サーバは前記観戦者端末の位置を示す観戦者位置情報を取得し、前記観戦者位置情報を用いて前記レース情報を加工して前記観戦者端末に送信する
レース情報システム。
【請求項４】
請求項３に記載されたレース情報システムであって、
前記サーバは前記位置情報を用いて前記競技者の速さを算出し、前記観戦者位置情報と前記速さを用いて前記競技者が前記観戦者端末の位置に到達する到達予想時間を算出して前記観戦者端末に送信する
レース情報システム。
【請求項５】
請求項１から４のいずれか１項に記載されたレース情報システムであって、
前記サーバは、レースの規則により前記複数の競技者のうちの特定競技者の見かけの位置と、実際の走行時間及び走行距離に基づいた前記複数の競技者のうちに占める競技位置とがずれたことを示すずれ情報を収集し、前記位置情報と前記ずれ情報とを用いて、前記特定競技者の前記競技位置を前記観戦者端末に送信する
レース情報システム。
【請求項６】
請求項１から５のいずれか１項に記載されたレース情報システムであって、
前記サーバは、所定の地点において前記サーバから前記レース情報を受信している前記観戦者端末の台数に基づいて前記所定の地点における混雑の度合いを示す混雑情報を生成して前記観戦者端末に送信する
レース情報システム。
【請求項７】
請求項１から６のいずれか１項に記載されたレース情報システムであって、
前記サーバは、前記レースのコース上の位置とその位置に存在する施設とを対応づけて格納する施設データベースを備え、前記施設データベースにおいて前記複数の競技者のうちの前記観戦者端末を介して選択された被選択競技者が走行している位置に対応する前記施設を検索して前記観戦者端末に送信する
レース情報システム。
【発明の詳細な説明】
【技術分野】
【０００１】
本発明は、レースの情報を処理するシステムに関する。本発明は特に、駅伝やマラソンなどの情報を観戦者に提供するシステムに関する。
【背景技術】
【０００２】
駅伝やマラソンなどの陸上のロードレースにおいては、長距離にわたるコースの沿道に多くの観衆が出て観戦する。そうした観衆がレースの進行について知るために、ラジオや小型テレビが用いられている。こうした方法において、電波状況の不良や音声不良などの問題が発生することがある。
【０００３】
ロードレースを沿道などで観戦するに当たり、観衆の各々が特に見たいと望むランナーが通過する時間はレース展開によって違ってくる。個々のランナーが所定の地点を通過する時間を把握することは困難である。テレビ、ラジオ等によるロードレースの中継放送は、上位選手（上位チーム）、人気選手（人気チーム）を中心に放送する傾向にあり、下位争い、シード権争い、無名選手などの状況が放送されることは稀である。あまり放送されない選手を応援する人や関係者からは大きな不満が挙がっている。
【０００４】
テレビ中継やラジオ放送では、「１位との時間差は〜秒差」「距離にして何メートル」といった表現がよく用いられる。こうした表現では、陸上に詳しくない人には状況が分かりにくく、緊迫感を伝えることは難しい。
【０００５】
ランナー同士の距離差は主に中継所や定点ポイントにおける計測から得られる。しかし近年のロードレースにおいてはランナーの実力が均衡化しレースが高速化していることから順位の変動が激しく、中継所や定点ポイントにおける計測ではあまりにも大雑把で、レース展開を読み込む測定としては貧弱なものになってきている。
【０００６】
駅伝等の場合、「繰り上げスタート」という特殊ルールがある。これにより状況によっては見た目の順位と実際の順位が違うという状況が起こりえる。これはテレビの中継だけでは非常に分かりづらい。特に箱根駅伝等はシード権争いが加わることで数値が大幅に複雑化している。
【０００７】
特許文献１には、スタート地点からゴール地点に至るまでの所要時間を競技者が競うレースにおけるデータ処理・伝達に関し、特にレース途中の各競技者の成績等の処理結果をレース中の各競技者に伝える個人レース情報レース中伝達システムが開示されている。
【特許文献１】特開２００２−２８２４０７号公報
【発明の開示】
【発明が解決しようとする課題】
【０００８】
本発明の目的は、競技者の情報を分かり易く観戦者に伝えるレース情報システムを提供することである。
本発明の他の目的は、観戦者が好みの競技者の情報を取得することを可能にするレース情報システムを提供することである。
本発明の他の目的は、観戦者がいる位置に対応したレース情報を観戦者に伝えるレース情報システムを提供することである。
【課題を解決するための手段】
【０００９】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１０】
本発明によるレース情報システムは、ＧＰＳ（Ｇｌｏｂａｌ  Ｐｏｓｉｔｉｏｎｉｎｇ  Ｓｙｓｔｅｍ）受信部（３２、３５）とＧＰＳ受信部（３２、３５）により得られる位置情報（７０）を無線通信回線（８、１０）を介して送信する通信部（３４）とを備え、複数の競技者（４）に取り付けられる競技者端末（６）と、競技者端末（６）から受信した位置情報（７０）を用いてレース情報（７０、７８、１０８）を生成して観戦者端末（２４）に送信するサーバ（１２）とを備える。
【００１１】
本発明によるレース情報システムは、ＩＤ情報（６８）を記憶し複数の競技者（４）に取り付けられるＩＣタグ（６´）と、ＩＣタグ（６´）から読み取ったＩＤ情報（６８）を含む位置情報（７０）を生成して送信するＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）固定器（９）と、ＲＦＩＤ固定器（９）から受信した位置情報（７０）を用いてレース情報（７０、７８、１０８）を生成して観戦者端末（２４）に送信するサーバ（１２）とを備える。
【００１２】
本発明によるレース情報システムにおいて、サーバ（１２）は観戦者端末（２４）の位置を示す観戦者位置情報（２１）を取得し、観戦者位置情報（２１）を用いてレース情報（１０８）を加工して観戦者端末（２４）に送信する。
【００１３】
本発明によるレース情報システムにおいて、サーバ（１２）は位置情報（７０）を用いて競技者（４）の速さ（７６）を算出し、観戦者位置情報（２１）と速さ（７６）を用いて競技者（４）が観戦者端末（２４）の位置に到達する到達予想時間（１０９）を算出して観戦者端末（２４）に送信する。
【００１４】
本発明によるレース情報システムにおいて、サーバ（１２）は、レースの規則により複数の競技者のうちの特定競技者の見かけの位置と、実際の走行時間及び走行距離に基づいた複数の競技者のうちに占める競技位置とがずれたことを示すずれ情報（１０２）を収集し、位置情報（７０）とずれ情報（１０２）とを用いて、特定競技者の競技位置を観戦者端末（２４）に送信する。
【００１５】
本発明によるレース情報システムにおいて、サーバ（１２）は、所定の地点においてサーバ（１２）からレース情報（７０、７８、１０８）を受信している観戦者端末（２４）の台数に基づいて所定の地点における混雑の度合いを示す混雑情報（８９）を生成して観戦者端末（２４）に送信する。
【００１６】
本発明によるレース情報システムにおいて、サーバ（１２）は、レースのコース（３）上の位置とその位置に存在する施設とを対応づけて格納する施設データベース（９０）を備え、施設データベース（９０）において複数の競技者（４）のうちの観戦者端末（２４）を介して選択された被選択競技者が走行している位置に対応する施設を検索して観戦者端末（２４）に送信する。
【発明の効果】
【００１７】
本発明によれば、競技者の情報を分かり易く観戦者に伝えるレース情報システムが提供される。
更に本発明によれば、観戦者が好みの競技者の情報を取得することを可能にするレース情報システムが提供される。
更に本発明によれば、観戦者がいる位置に対応したレース情報を観戦者に伝えるレース情報システムが提供される。
【発明を実施するための最良の形態】
【００１８】
以下、図面を参照しながら本発明によるレース情報システムを実施するための最良の形態について詳細に説明する。本実施の形態におけるレース情報システムは、駅伝、マラソン、ラリーなど競技場の外に出て長大なコースを走るロードレースに好適に用いられる。
【００１９】
（構成の説明）
図１は、レース情報システムの構成を示す。レース情報システムは、ＧＰＳ端末６−１〜６−３とサーバ１２とを備える。
【００２０】
レース情報システムは、ＧＰＳ人工衛星２を使用する。ＧＰＳ端末６−１〜６−３は、コース３を走る複数の競技者４−１〜４−３の各々に取り付けられる。取り付けられる部位はゼッケン、衣類、たすき、靴などである。ＧＰＳ端末６−１〜６〜３の各々は無線通信により、後述する競技者位置情報テーブル７−１〜７−３に含まれる情報を発信する。この情報は、中継基地局８−１〜８−３と通信ネットワーク１０とを介してサーバ１２に送信される。サーバ１２は競技者位置情報テーブル７−１〜７−３を用いて配信情報２０−１〜２０−３を生成する。サーバ１２は、通信ネットワーク１６と中継基地局１８−１〜１８−３とを介して配信情報２０−１〜２０−３の各々を複数の携帯端末２４−１〜２４−３の各々に配信する。複数の携帯端末２４−１〜２４−３は、コース３の沿道に観戦に来ている観戦者２２−１、２２−２、中継所２６にいる観戦者２２−３が使用する。
【００２１】
図２は、ＧＰＳ端末６の構成を示す。ＧＰＳ端末６は小型軽量の端末である。ＧＰＳ端末６は、アンテナ３２、送受信部３４、ＧＰＳ処理部３５及びメモリ３６を備える。メモリ３６は、競技者ＩＤ６８を記憶する。アンテナ３２は、ＧＰＳ衛星２から信号を受け取る。送受信部３４は、アンテナ３２が受け取った信号を受信処理する。送受信部３４は更に、アンテナ３２を介して外部に無線信号を発信する。ＧＰＳ処理部３５は、ＧＰＳ衛星２から受信した信号に基づいて位置情報を示す信号を生成する。競技者ＩＤ６８は、各々のＧＰＳ端末６を個別に特定する識別子である。
【００２２】
図３は、サーバ１２の構成を示す。サーバ１２は、ＣＰＵ４０、入力装置４２、出力装置４４、記憶装置４６及び通信装置４８を備える。サーバ１２は、パーソナルコンピュータ、ワークステーション等により構成することが可能である。
【００２３】
図４は、携帯端末２４の構成を示す。携帯端末２４は、ＣＰＵ５０、入力装置５２、出力装置５４、記憶装置５６及び通信装置５８を備える。携帯端末２４は、携帯電話機、ＰＤＡ（Ｐｅｒｓｏｎａｌ  Ｄｉｇｉｔａｌ  Ａｓｓｉｓｔａｎｔ）等により構成することが可能である。
【００２４】
図５は、サーバ１２の記憶装置４６に格納されているデータの構成を示す。記憶装置４６は、競技者情報生成部５９、ローカル情報生成プログラム８０及び沿道情報部８１を含んでいる。
【００２５】
競技者情報生成部５９は、競技者情報生成プログラム６０、チーム構成データベース６２、競技者位置データベース７０及び総合情報データベース７８を含んでいる。チーム構成データベース６２は、チーム６４と、区間６６と、競技者ＩＤ６８と、競技者名６９とを対応づけて格納している。競技者位置データベース７０は、競技者名６９と、位置情報７０と、時刻７４と、平均速度７６とを対応づけて格納している。
【００２６】
沿道情報部８１は、沿道情報処理プログラム８２、定点状況データベース８４及び周辺案内データベース９０を備えている。定点状況データベース８４は、中継所２６などの所定の場所を個別に特定する定点ＩＤ８６と、その定点ＩＤ８６の位置・範囲を示す定点位置８８と、混雑状況８９とを対応づけて格納している。周辺案内データベース９０は、位置情報９４と、施設情報９６とを対応づけて格納している。
【００２７】
図６は、競技者位置情報テーブル７のデータ構成を示す。競技者位置情報テーブル７は、競技者ＩＤ６４と位置情報７０とを対応づけて格納する。
【００２８】
図７は、総合情報データベース７８のデータ構成を示す。総合情報データベース７８は、チーム６４と、順位９８と、１位とのタイム差１００とを対応づけて格納している。総合情報データベース７８は更に、各々のチーム６４に対して複数の区間６６を格納し、各々の区間６６に対して競技者名６９と、繰り上げスタート情報１０２と、現在位置７２と、区間順位１０４と、各地予定到達時間１０６とを対応づけて格納している。
【００２９】
図８は、配信情報２０に含まれるローカル情報テーブル１０８のデータ構成を示す。ローカル情報テーブル１０８は、競技者名６９と、予想到達時刻１０９と、通過時の順位／秒差／距離差１１０と、施設情報１１２と、沿道の混雑状況１１４とを対応づけて格納する。
【００３０】
（動作の説明）
次に図９を参照しながら、駅伝の場合におけるレース情報システムの動作について説明する。以下の説明において、サーバ１２のＣＰＵ４０が記憶装置４６に格納されているプログラムを読み出し、そのプログラムに記述されている手順に従って実行する動作は、そのプログラム自身が行う動作として記述される。
【００３１】
ステップＳ２：駅伝シーズンの始まる前に、観戦者に対して提供するサービスの窓口となるＷｅｂサイトを作成しアップロードしておく。携帯電話からアクセスするためのネットワーク上のポータルサイトなどで、そのＷｅｂサイトのＵＲＬを告知しておく。さらに、携帯電話向けのプッシュ型の情報提供サービスのコンテンツとして登録することによってＵＲＬの告知を行う。駅伝シーズンが始まる前の一定期間、陸上競技関係の雑誌、テレビガイド雑誌などにＵＲＬを知らせる広告を出す。更に、外食産業等のチェーン店が来客に情報提供するための情報媒体を用いてＵＲＬの告知を行う。
【００３２】
ステップＳ４：レース情報システムによるサービスを受けたい人は、当該Ｗｅｂサイトにアクセスし、Ｗｅｂサイトに記載された所定の方法に従って登録手続きを行う。当該Ｗｅｂサイトへのアクセスは、ポータルサイト等のＷｅｂサイト経由であれば当該ＷｅｂサイトのＵＲＬをクリックすることによりなされる。紙媒体の情報によって知ったＵＲＬであれば、そのＵＲＬを入力装置を介して入力することにより、又は光学的文字読み取り装置を使用して入力することにより、当該Ｗｅｂサイトへのアクセスがなされる。
【００３３】
ステップＳ６：レース情報システムの運用者は、サーバ１２のチーム構成データベース６２に駅伝の情報を事前に登録する。駅伝に参加するチームの名称はチーム６４に登録され、各々のチーム６４に対応して第何区に誰が走るかという情報は区間６６と競技者ＩＤ６８に登録される。
【００３４】
ステップＳ８：駅伝が開催される。競技者４−１〜４−３には各々、ＧＰＳ端末６−１〜６−３が取り付けられる。競技者４−１〜４−３と、各々の競技者に取り付けられるＧＰＳ端末６−１〜６−３に格納されている競技者ＩＤ６８とは対応している。例えば競技者４−１のＧＰＳ端末６−１に格納されている競技者ＩＤ６８を検索キーとして、チーム構成データベース６２から競技者名６９を抽出すると、その競技者名６９は競技者４−１の名前と一致する。競技者４−１〜４−３は走行を開始する。
【００３５】
ステップＳ１０：ＧＰＳ端末６−１〜６−３は、定期的にＧＰＳ人工衛星２から受信した電波に基づいて位置情報７０を示す情報を生成し、競技者位置情報テーブル７−１〜７−３を作成して送信する。競技者位置情報テーブル７−１〜７−３をサーバ１２が受信すると、競技者情報生成プログラム６０は、競技者位置データベース７０の競技者ＩＤ６８に対応する位置情報７０を、受信した時刻７４と対応づけて登録する。
【００３６】
競技者情報生成プログラム６０は、競技者位置情報テーブル７−１〜７−３を前回受信したときと今回受信したときの位置情報７０と時刻７４から、平均速度７６を算出し、時刻７４と対応づけて登録する。
【００３７】
ある走者が受け持ちの区間を走り終え、次の走者がたすきを受け取って走り出す。競技者情報生成プログラム６０は、定点状況データベース８４の定点位置８８を参照して、ある走者の位置情報７０が中継点の位置に到達すると、その走者に関する競技者位置データベース７０と総合情報データベース７８との情報を更新することを止め、次の走者に関する競技者位置データベース７０と総合情報データベース７８との情報の更新を開始する。
【００３８】
ステップＳ１２：競技者情報生成プログラム６０は、次のようにして総合情報データベース７８に登録される情報を生成する。チーム構成データベース６２を参照して、各々の競技者名６９に対応するチーム６４と区間６６を登録する。競技者位置データベース７０を参照して、時刻７４が最も最近のときの位置情報７０を現在位置７２に登録する。受け持ちの区間を走り終えた競技者名６９に対応する現在位置７２には、走り終えたことを示す情報が登録される。
【００３９】
区間順位１０４は、区間６６が共通する全ての競技者４のなかで、位置情報７０に示される位置が当該区間の開始する中継点から終了する中継点まで動いたときの、時刻７４の変化量が短いものから順に上位となるように登録される。
【００４０】
繰り上げスタート情報１０２には、競技者名６９に示される競技者が繰り上げスタートをしたか否かを示す情報が登録される。その情報は、レースをモニターするオペレータが入力装置４２から入力する。あるいは、競技者位置データベース７０においてある競技者の最新の位置情報７０が未だ当該区間の終了する中継点にまで到達していないときに、その競技者と同じチーム６４で次の区間６６の競技者の位置情報７０がレースのコースに沿って変化を始めた時、サーバ１２は繰り上げスタートがなされたことを示す情報を繰り上げスタート情報１０２に登録する。
【００４１】
各地予定到達時間１０６は、各チームの走者が中継所など定点に到達する予想時刻である。各地予定到達時間１０６は、競技者位置データベース７０の位置情報７０、通過時刻７４、平均速度７６及び定点状況データベース８４の定点位置８８を用いることにより、定点ＩＤ８６の各々に対して算出される。
【００４２】
順位９８は、各チームの現在走っている競技者の位置の見かけの順位ではなく、繰り上げスタートを計算に入れた競技ルール上の順位である。この順位９８は、各々のチーム６４に属する競技者名６９について、競技者位置データベース７０の位置情報７０と通過した時刻７４に基づいて、最新の時刻７４までにそのチーム６４が実際に走行した距離の合計を算出し、その合計を全てのチーム間で比較することにより得られる。
【００４３】
１位とのタイム差１００の算出は次のように行われる。順位９８を算出するときに算出された、チーム６４が実際に走行した距離の合計に基づいて、各々のチーム６４の１位のチームとの現在の距離差を算出する。その距離差を、各々のチーム６４の現在の走者の平均速度７６を用いて時間差に換算したものが１位とのタイム差１００として登録される。
【００４４】
ステップＳ１４：サーバ１２は、総合情報データベース７８の中から所定の条件を満たした情報を選択して、配信情報２０−１〜２０−３を生成する。生成された配信情報２０−１〜２０−３は、プッシュ型の情報配信サービスにより携帯端末２４−１〜２４−３に配信される。
【００４５】
サーバ１２は、携帯端末２４−１〜２４−３のいずれかから、あるチームまたは競技者の情報を要求されると、そのチームまたは競技者に関係する情報を総合情報データベース７８から抽出して返信する。
【００４６】
ステップＳ１６：携帯端末２４−１〜２４−３の各々は、それ自身の位置を示す情報である観戦者位置（図示せず）を示す情報を生成する。観戦者位置を示す情報は、次に例示される方法により生成される。（１）ＧＰＳ衛星２からの受信電波に基づいて生成する。（２）携帯端末２４−１〜２４−３からの電波を受信したセルラー基地局の情報に基づいて生成する。（３）複数のセルラー基地局から送信される電波の伝播時間差に基づいて生成する。
【００４７】
観戦者２２は、ある競技者４に関係するローカルな情報が欲しいとき、携帯端末２４からチーム６４又は競技者名６９を指定してサーバ１２にローカルな情報を要求する。携帯端末２４からは、チーム６４又は競技者名６９とステップＳ１６において生成された観戦者位置とが問い合わせ情報２１としてサーバ１２に送信される。
【００４８】
携帯端末２４にそれ自身の位置を示す情報を生成する機能が実装されていない場合、サーバ１２はその携帯端末２４から発せられる電波を各地域の交換機を経由してキャッチし、それらの交換機の位置に基づいて携帯端末２４の位置を把握する。
【００４９】
携帯端末２４の位置を示す情報を生成することに代えて、セルラー基地局のエリアに対応して異なる情報をプッシュ配信するサービスを利用することも可能である。この場合、複数の中継所２６の各々に対して個別の情報、例えばその中継所に競技者４が間もなく到着することを示す情報が配信される。
【００５０】
ステップＳ１８：ローカル情報生成プログラム８０は、次のようにしてローカル情報テーブル１０８に登録される情報を生成する。予想到達時刻１０９は、競技者位置データベース７０に登録されている最新の位置情報７０、時刻７４、平均速度７６及び問い合わせ情報２１に含まれる観戦者位置を用いて、その観戦者位置に競技者が到達する予想時刻を算出することにより得られる。
【００５１】
通過時の順位／秒差／距離差１１０は、次のようにして得られる。通過時の順位は、チーム毎に、第１走者が走行を開始してから観戦者位置の位置まで到達するまでの時間（競技者がまだ到達していない場合は予想時間）とを足し合わせた予想タイムＴ１（図示せず）をチーム間で比較することにより得られる。Ｔ１は、競技者位置データベース７０に格納されているデータから計算できる。
【００５２】
通過時の秒差は、観戦者位置において第１位で通過したチームの時間（または予想時間）から、観戦者２２が指定した競技者４が通過する予想時間を引くことによって得られる。通過時の距離差は、平均速度７６を用いて第１位のチームと観戦者２２が指定したチームの相対速度を算出し、この相対速度を用いて秒差を距離差に変換することにより得られる。
【００５３】
沿道情報処理プログラム８２は、観戦者２２が指定した競技者４から得た位置情報７０の近くに周辺案内データベース９０に登録された施設情報９６があった場合、ローカル情報テーブル１０８に施設情報１１２として登録する。
【００５４】
施設情報１１２は例えば商業施設の広告である。こうした情報が携帯端末２４に送信されることにより、観戦者２２は競技者４が走行している場所をリアルに感じることができる。施設情報１１２に登録された商業施設から宣伝費の提供を受けることにより、観戦者２２に課されるレース情報サービスの料金を減額することができる。
【００５５】
沿道情報処理プログラム８２は、観戦者２２から定点状況データベース８４に格納されている定点ＩＤ８６を含む問い合わせ情報２１を受信すると、対応する混雑情報８９をローカル情報テーブル１０８に沿道の混雑状況１１４として登録する。
【００５６】
混雑情報８９は、次のように作成される。サーバ１２は、本レース情報サービスに登録している携帯端末２４からのサービスの利用が、どの場所からどれだけあったかを示す情報を記録する。この情報から、定点状況データベース８４の定点ＩＤ８６の位置・範囲を示す定点位置８８を参照して、各々の定点ＩＤ８６に示される場所に本レース情報サービスを利用している携帯端末２４の台数を推定する。その台数から、各々の定点における混雑状況を示す情報を生成して、混雑状況８９に登録する。
【００５７】
ステップＳ２０：サーバ１２は、問い合わせ情報２１を送信した携帯端末２４にローカル情報テーブル１０８を送信する。観戦者２２は出力装置５２により受信した情報を確認する。ローカル情報テーブル１０８の送信は、セルラー基地局のエリアに対応して異なる情報をプッシュ配信するサービスを利用して行うことが可能である。
【００５８】
ステップＳ１６〜Ｓ２０の動作により、次のような処理が可能となっている。例えば時刻９：００にＸ地点にいる観戦者２２−１にＸ地域の中継基地局を介してＸ地域向けの情報を提供し、時刻１１：００に観戦者２２−１がＹ地点に移動していれば、Ｙ地域の中継基地局を介してＹ地域向けの情報を提供する。
【００５９】
ステップＳ２２：サーバ１２は、競技者位置データベース７０の位置情報７０がレースのゴールの位置に達していないとき、ステップＳ１０〜Ｓ２０の動作を繰り返す。位置情報７０がゴールの位置になったとき、動作を終了する。
【００６０】
図１０は、本実施の形態の変形例を示している。レース情報システムは、競技者４−１〜４−３の各々に取り付けられるＩＣタグ６´−１〜６´−３、コース３に設置されるＩＣタグリーダ９´−１〜９´−３及びサーバ１２を備える。
【００６１】
ＩＣタグ６´−１〜６´−３は各々のＩＣタグ６´−１〜６´−３を個別に特定する競技者ＩＤを記憶している。ＩＣタグリーダ９´−１〜９´−３はＩＣタグ６´−１〜６´−３から非接触で競技者ＩＤを読み取る。ＩＣタグリーダ９´−１〜９´−３には通信装置が接続されており、読み取った競技者ＩＤと、ＩＣタグリーダ９´−１〜９´−３の各々を個別に特定するリーダ識別子とを含む競技者位置情報テーブル７´−１〜７´−３を、中継基地局８−１〜８−３と通信ネットワーク１０とを介してサーバ１２に送信する。サーバ１２は、リーダ識別子と各々のＩＣタグリーダ９´−１〜９´−３が設置されている位置とを対応づけるテーブルを記憶している。これにより、競技者４−１〜４−３がＩＣタグリーダ９´−１〜９´−３を通過したときの位置情報が生成される。それ以外の部分の構成と動作は、図１に示される場合と同じである。
【図面の簡単な説明】
【００６２】
【図１】図１は、レース情報システムの構成を示す。
【図２】図２は、ＧＰＳ端末の構成を示す。
【図３】図３は、サーバの構成を示す。
【図４】図４は、携帯端末の構成を示す。
【図５】図５は、サーバの記憶装置に格納されているデータの構成を示す。
【図６】図６は、競技者位置情報テーブルを示す。
【図７】図７は、総合情報データベースを示す。
【図８】図８は、ローカル情報テーブルを示す。
【図９】図９は、レース情報システムの動作を示すフローチャートである。
【図１０】図１０は、実施の形態の変形例におけるレース情報システムを示す。
【符号の説明】
【００６３】
２…ＧＰＳ人工衛星
４…競技者
６…ＧＰＳ端末
６´…ＩＣタグ
７…競技者位置情報テーブル
８…中継基地局
９…ＩＣタグリーダ
１０…通信ネットワーク
１２…サーバ
１６…通信ネットワーク
１８…中継基地局
２０…配信情報
２１…問い合わせ情報
２２…観戦者
２４…携帯端末
２６…中継所
４６…記憶装置
５９…競技者情報生成部
６２…チーム構成データベース
７０…競技者位置データベース
７８…総合情報データベース
８１…沿道情報部
８４…定点状況データベース
９０…周辺案内データベース
１０８…ローカル情報テーブル
【図１】
2006271611.tif 000003
【図２】
2006271611.tif 000004
【図３】
2006271611.tif 000005
【図４】
2006271611.tif 000006
【図５】
2006271611.tif 000007
【図６】
2006271611.tif 000008
【図７】
2006271611.tif 000009
【図８】
2006271611.tif 000010
【図９】
2006271611.tif 000011
【図１０】
2006271611.tif 000012